(57)【特許請求の範囲】
【請求項１】
電子基板を収納するベースケースと、前記ベースケースに被せられるカバーケースとを備える電子基板収納ケースにおいて、
前記ベースケースは、
前記電子基板が取り付けられるベースケース底面部を有すると共に、
前記ベースケース底面部の側部に対向して設けられる二つのベースケース側面部として、第一のベースケース側面部と第二のベースケース側面部とを有し、
前記カバーケースは、
前記第一のベースケース側面部と前記第二のベースケース側面部とによって支持されるカバーケース天面部を有すると共に、
前記カバーケース天面部の側部に対向して設けられる二つのベースケース側面部として、前記第一のベースケース側面部の外側に配置される第一のカバーケース側面部と前記第二のベースケース側面部の外側に配置される第二のカバーケース側面部とを有し、
前記カバーケースは、さらに、
前記第一のカバーケース側面部と前記第二のカバーケース側面部とのいずれも設けられていない前記カバーケース天面部の側部に対向して設けられる二つのベースケース側面部であって前記第一のベースケース側面部と前記第二のベースケース側面部とに挟まれて配置される二つのベースケース側面部として第三のカバーケース側面部と第四のカバーケース側面部とを有し、
前記第一のカバーケース側面部は、内側に突き出た突起部を有し、
前記第一のベースケース側面部は、前記第一のカバーケース側面部の突起部を嵌め込む嵌合穴部を有し、
前記第一のカバーケース側面部は、二つの切り込み部と、前記カバーケースが前記ベースケースに被せられる前に二つの切り込み部の間で内側に曲げられた切り起こし部とを有し、
前記第一のベースケース側面部は、前記カバーケースが前記ベースケースに被せられたときに前記第一のカバーケース側面部の切り起こし部が嵌め込まれる切り欠き部として、前記第一のベースケース側面部の上端から切り欠いた切り欠き部を有する
ことを特徴とする電子基板収納ケース。
【請求項２】
前記カバーケースが前記ベースケースに被せられたときに前記切り起こし部の先端が前記ベースケースの内側において前記切り欠き部の下端よりも低い位置に配置され、前記第一のベースケース側面部が前記ベースケースの内側に押されたときに前記切り欠き部の下端が前記切り起こし部に当接する
ことを特徴とする請求項１に記載の電子基板収納ケース。
【請求項３】
前記第一のカバーケース側面部の突起部は、前記第一のベースケース側面部と前記第三のカバーケース側面部との隙間の長さより長く突き出た
ことを特徴とする請求項１または請求項２に記載の電子基板収納ケース。
【請求項４】
前記第一のカバーケース側面部の前記切り起こし部と前記第一のベースケース側面部の前記切り欠き部との距離が、前記第一のベースケース側面部と前記第三のカバーケース側面部との隙間の長さより短い
ことを特徴とする請求項１から請求項３のいずれかに記載の電子基板収納ケース。
【請求項５】
前記第一のベースケース側面部は、スリット部を有し、
前記第四のカバーケース側面部は、前記第一のベースケース側面部のスリット部に嵌め込まれる嵌合端部を有する
ことを特徴とする請求項１から請求項４のいずれかに記載の電子基板収納ケース。
【請求項６】
請求項１から請求項５のいずれかに記載の電子基板収納ケースと、
前記電子基板収納ケースに収納される電子基板であって光源を点灯する点灯回路が実装された電子基板と
を備えたことを特徴とする点灯装置。
【請求項７】
請求項６記載の点灯装置と、
前記点灯装置が点灯する光源を取り付ける器具本体と
を備えたことを特徴とする照明器具。
【発明の詳細な説明】
【技術分野】
【０００１】
本発明は、電子基板を収納する電子基板収納ケース、電子基板収納ケースを備えた点灯装置および点灯装置を備えた照明器具に関するものである。
【背景技術】
【０００２】
電子基板をケースで覆う光源点灯装置の構造において、ベースケースとカバーケースとに互いに連通する取り付け穴を１つまたは複数設け、取り付け穴を介して挿通した取り付け手段（ネジなど）によりベースケースにカバーケースを固定する構造がある（特許文献１）。
このような構造の場合、カバーケースがベースケースから容易に外れないようにすることができるが、製品組立て時の作業性が悪く、組立て工程が増え、加工時間が増加する。
また、取り付け手段を取り付けるスペースが必要となり、小型化が難しい。
【先行技術文献】
【特許文献】
【０００３】
【特許文献１】特開２００２−１７１０８３号公報
【発明の概要】
【発明が解決しようとする課題】
【０００４】
本発明は、例えば、電子基板をベースケースとカバーケースとで覆う光源点灯装置において、カバーケースをベースケースに容易に取り付けることができるようにすることを目的とする。
【課題を解決するための手段】
【０００５】
本発明の電子基板収納ケースは、電子基板を収納するベースケースと、前記ベースケースに被せられるカバーケースとを備える電子基板収納ケースであって、前記ベースケースは、前記電子基板が取り付けられるベースケース底面部を有すると共に、前記ベースケース底面部の側部に対向して設けられる二つのベースケース側面部として、第一のベースケース側面部と第二のベースケース側面部とを有し、前記カバーケースは、前記第一のベースケース側面部と前記第二のベースケース側面部とによって支持されるカバーケース天面部を有すると共に、前記カバーケース天面部の側部に対向して設けられる二つのベースケース側面部として、前記第一のベースケース側面部の外側に配置される第一のカバーケース側面部と前記第二のベースケース側面部の外側に配置される第二のカバーケース側面部とを有し、前記カバーケースは、さらに、前記第一のカバーケース側面部と前記第二のカバーケース側面部とのいずれも設けられていない前記カバーケース天面部の側部に対向して設けられる二つのベースケース側面部であって前記第一のベースケース側面部と前記第二のベースケース側面部とに挟まれて配置される二つのベースケース側面部として第三のカバーケース側面部と第四のカバーケース側面部とを有する。
【発明の効果】
【０００６】
本発明によれば、例えば、電子基板をベースケースとカバーケースとで覆う光源点灯装置において、カバーケースをベースケースに容易に取り付けることができる。
【図面の簡単な説明】
【０００７】
【図１】実施の形態１における点灯装置１００の斜視図。
【図２】実施の形態１におけるカバーケース２００の斜視図。
【図３】実施の形態１におけるベースケース３００の斜視図。
【図４】実施の形態１におけるカバーケース２００の端部とベースケース３００の端部とを示した側面図。
【図５】実施の形態１における電子基板収納ケース１１０の部分断面図。
【図６】実施の形態１における電子基板収納ケース１１０の正面図。
【図７】実施の形態１における電子基板収納ケース１１０の部分平面図。
【図８】実施の形態１における電子基板収納ケース１１０の部分断面図。
【発明を実施するための形態】
【０００８】
実施の形態１．
電子基板（回路基板、電子回路基板ともいう）を収納する電子基板収納ケースの一例として、点灯装置に用いる電子基板収納ケースについて説明する。
点灯装置に用いる電子基板収納ケースは、発光ダイオード、白熱灯、蛍光灯などの光源（ランプ）を点灯させる点灯回路が実装された電子基板を収納する。
光源、点灯装置（電子基板、電子基板収納ケースなど）及びそれらを取り付ける器具本体（例えば、照明笠）は照明器具を構成する。
但し、電子基板収納ケースは、点灯装置以外の電源装置またはその他の電気機器に用いても構わない。
【０００９】
図１は、実施の形態１における点灯装置１００の斜視図であり、（ａ）ベースケース３００にカバーケース２００を取り付ける前の分解斜視図と、（ｂ）ベースケース３００にカバーケース２００を取り付けた後の完成斜視図とを示している。
実施の形態１における点灯装置１００について、図１に基づいて説明する。
【００１０】
点灯装置１００は、回路基板１０１と端子台１０３と電子基板収納ケース１１０とを備える。回路基板１０１には、各種の電子部品が取り付けられ、光源を点灯させる点灯回路が実装される。
【００１１】
電子基板収納ケース１１０は、カバーケース２００とベースケース３００とを備える。
ベースケース３００の中（底面部）には、回路基板１０１や端子台１０３が取り付けられる。また、ベースケース３００の内側の側面には、ベースケース３００と回路基板１０１との絶縁を保持するための絶縁板１０２が取り付けられる。
カバーケース２００は、ベースケース３００を蓋するように被せられ、ベースケース３００内を覆って回路基板１０１を保護する。
【００１２】
図２は、実施の形態１におけるカバーケース２００の斜視図である。
実施の形態１におけるカバーケース２００について、図２に基づいて説明する。
【００１３】
カバーケース２００は、長方形状の天面部２１０と、天面部２１０の長辺部分に対向して設けられた第一、第二の側面部（取付面部２２０）と、天面部２１０の短辺部分に対向して設けられた第三、第四の側面部（斜面部２４０、嵌合面部２３０）とを有する。
取付面部２２０と嵌合面部２３０は天面部２１０に対して垂直に折り曲げられ、斜面部２４０は天面部２１０に対して斜めに折り曲げられている。また、斜面部２４０は、さらに中央部分で垂直に折り曲げられている。
【００１４】
取付面部２２０は、嵌合面部２３０側の端部と斜面部２４０側の端部に、内側に突き出した突起部２２１を有する。
また、片方の取付面部２２０は、斜面部２４０側の突起部２２１の近く（突起部２２１より中央側）に切り起こし部２２２を有する。切り起こし部２２２は、取付面部２２０に二つの切り込みを入れて二つの切り込みの間の部分を内側に折り曲げた舌状部である。
【００１５】
嵌合面部２３０は、両方の取付面部２２０側の端部の下側に切り欠き部を有する。
以下、取付面部２２０側の両端部の上側部分（切り欠き部の上側の出っ張り部分）を嵌合端部２３１という。
【００１６】
図３は、実施の形態１におけるベースケース３００の斜視図である。
実施の形態１におけるベースケース３００について、図３に基づいて説明する。
【００１７】
ベースケース３００は、長方形状の底面部３１０と、底面部３１０の長辺部分に対向して設けられた二つの側面部３２０とを有する。側面部３２０は、底面部３１０に対して垂直に折り曲げられている。
また、ベースケース３００は、底面部３１０の短辺部分に固定具（例えば、ネジ）を取り付けるための取付部３３０を有する。取付部３３０は、固定具を取り付けるための取付穴３３１を有する。ベースケース３００の取付部３３０は固定具によって照明器具の器具本体に固定される。
【００１８】
側面部３２０は、ベースケース３００に被せられたカバーケース２００の天面部２１０を支持する（図１、２参照）。
側面部３２０は、カバーケース２００の斜面部２４０が配置される側に傾斜部３２４を有し、傾斜部３２４側の上部と、反対側（端子台が設置される側）の上部に角穴３２１を有する。さらに、側面部３２０は、傾斜部３２４側の角穴３２１と反対側の角穴３２１より端部側にスリット３２２を有する。
また、片方の側面部３２０は、傾斜部３２４側の角穴３２１の近く（角穴３２１より中央側）に切り欠き部３２３を有する。
【００１９】
次に、カバーケース２００とベースケース３００との取り付け関係について説明する。
【００２０】
図４は、実施の形態１におけるカバーケース２００の端部とベースケース３００の端部とを示した側面図である。
図４（ａ）は、カバーケース２００の斜面部２４０側の端部とベースケース３００の傾斜部３２４側の端部とを示し、図４（ｂ）は、カバーケース２００の嵌合面部２３０側の端部とベースケース３００のスリット３２２側の端部とを示している。
【００２１】
図４（ａ）に示すように、カバーケース２００の斜面部２４０側において、カバーケース２００の突起部２２１とベースケース３００の角穴３２１、カバーケース２００の切り起こし部２２２とベースケース３００の切り欠き部３２３は、互いに対応する位置に設けられ、互いに嵌め合う関係にある。
図４（ｂ）に示すように、カバーケース２００の嵌合面部２３０側において、カバーケース２００の突起部２２１とベースケース３００の角穴３２１、カバーケース２００の嵌合端部２３１とベースケース３００のスリット３２２は、互いに対応する位置に設けられ、互いに嵌め合う関係にある。
【００２２】
図５は、実施の形態１における電子基板収納ケース１１０の部分断面図である。
図５（ａ）は、カバーケース２００の突起部２２１部分の断面を示し、図５（ｂ）は、カバーケース２００の切り起こし部２２２部分の断面を示している。
【００２３】
カバーケース２００をベースケース３００に取り付けた場合、図５（ａ）のようにカバーケース２００の突起部２２１はベースケース３００の角穴３２１に嵌め込まれ、図５（ｂ）のようにカバーケース２００の切り起こし部２２２はベースケース３００の切り欠き部３２３に嵌め込まれる。
カバーケース２００の突起部２２１がベースケース３００の角穴３２１に嵌め込まれることにより、カバーケース２００がベースケース３００に固定される。
【００２４】
図６は、実施の形態１における電子基板収納ケース１１０の正面図である。
図６（ａ）は、カバーケース２００の斜面部２４０側から見た正面図であり、図６（ｂ）は、カバーケース２００の嵌合面部２３０側から見た正面図である。
【００２５】
図６（ａ）に示すように、カバーケース２００の取付面部２２０はベースケース３００の側面部３２０の外側に配置され、カバーケース２００の斜面部２４０はベースケース３００の側面部３２０に挟まれるように側面部３２０間に収まる。
つまり、ベースケース３００の側面部３２０は、カバーケース２００の取付面部２２０と斜面部２４０との隙間に配置される。
【００２６】
図６（ｂ）に示すように、カバーケース２００の嵌合面部２３０はベースケース３００の側面部３２０に挟まれるように側面部３２０間に収まる。このとき、嵌合面部２３０の嵌合端部２３１は側面部３２０のスリット３２２に収まる。
つまり、ベースケース３００の側面部３２０は、カバーケース２００の取付面部２２０と嵌合面部２３０との隙間に配置される。
【００２７】
ベースケース３００の側面部３２０の間に斜面部２４０と嵌合面部２３０とを配置することにより、ベースケース３００の側面部３２０を補強することができる。例えば、ベースケース３００の側面部３２０が外側から応力を受けた場合にベースケース３００の側面部３２０が内側に押し曲げられることを抑止し、カバーケース２００の突起部２２１がベースケース３００の角穴３２１から抜けてカバーケース２００がベースケース３００から外れてしまうことを抑止することができる。
【００２８】
また、図６（ｂ）において、カバーケース２００の嵌合端部２３１は、ベースケース３００のスリット３２２に嵌め込まれている。これにより、カバーケース２００がベースケース３００に対して長手方向にずれることを防ぎ、カバーケース２００をより確実にベースケース３００に固定することができる。
【００２９】
図７は、実施の形態１における電子基板収納ケース１１０の部分平面図である。図７は、カバーケース２００の斜面部２４０側の天面部２１０を示し、天面部２１０に隠れた部分を点線で示している。
図８は、実施の形態１における電子基板収納ケース１１０の部分断面図である。図８（ａ）は、カバーケース２００の突起部２２１部分の断面を示し、図８（ｂ）は、カバーケース２００の切り起こし部２２２部分の断面を示している。また、断面部分より手前に位置するカバーケース２００の斜面部２４０を点線で示している。
【００３０】
図７および図８（ａ）に示すように、カバーケース２００の突起部２２１は、ベースケース３００の側面部３２０とカバーケース２００の斜面部２４０との隙間の長さＬより長く突き出ていて、突起部２２１の先端部は正面から見て斜面部２４０にかかっている。
同様に、カバーケース２００の嵌合面部２３０側において、カバーケース２００の突起部２２１は、ベースケース３００の側面部３２０とカバーケース２００の嵌合面部２３０との隙間の長さＬ’より長く突き出ている。
これにより、ベースケース３００の側面部３２０が外側から押された場合に、カバーケース２００の突起部２２１がベースケース３００の角穴３２１から抜けてカバーケース２００がベースケース３００から外れてしまうことを防ぐことができる。
【００３１】
図７および図８（ｂ）に示すように、カバーケース２００の切り起こし部２２２とベースケース３００の切り欠き部３２３との距離Ｄは、カバーケース２００の斜面部２４０とベースケース３００の側面部３２０との隙間の長さＬより短い。
これにより、ベースケース３００の側面部３２０の内側への応力に対して側面部３２０を補強することができる。そして、カバーケース２００の突起部２２１がベースケース３００の角穴３２１から抜けて、カバーケース２００がベースケース３００から外れてしまうことを防ぐことができる。
【００３２】
実施の形態１において、ベースケース３００の角穴３２１は、開口した穴であっても窪んだ穴であっても構わない。
ベースケース３００の側面部３２０に突起部２２１を設け、カバーケース２００の取付面部２２０に角穴３２１を設けても構わない。
さらに、角穴３２１の代わりに丸穴やその他形状の穴を設けても構わない。
【００３３】
また、ベースケース３００の側面部３２０に切り起こし部２２２を設け、カバーケース２００の取付面部２２０に切り欠き部３２３を設けても構わない。
さらに、切り起こし部２２２と切り欠き部３２３との組み合わせを突起部２２１と角穴３２１との組み合わせのように複数個所に設けても構わない。
【符号の説明】
【００３４】
１００  点灯装置、１０１  回路基板、１０２  絶縁板、１０３  端子台、１１０  電子基板収納ケース、２００  カバーケース、２１０  天面部、２２０  取付面部、２２１  突起部、２２２  切り起こし部、２３０  嵌合面部、２３１  嵌合端部、２４０  斜面部、３００  ベースケース、３１０  底面部、３２０  側面部、３２１  角穴、３２２  スリット、３２３  切り欠き部、３２４  傾斜部、３３０  取付部、３３１  取付穴。
【図１】
0005574874.tif 000002
【図２】
0005574874.tif 000003
【図３】
0005574874.tif 000004
【図４】
0005574874.tif 000005
【図５】
0005574874.tif 000006
【図６】
0005574874.tif 000007
【図７】
0005574874.tif 000008
【図８】
0005574874.tif 000009